【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
パッケージであって、
第１のフィルム及び第２のフィルムであって、封入部と、少なくとも１つのタブ領域とを形成しかつパッケージ周縁部を形成し、前記封入部は、製品を収容するよう構成された内部体積を形成している、第１のフィルム及び第２のフィルムと、
前記少なくとも１つのタブ領域の第１のタブ部分内に形成された第１の破裂可能袋と、
前記少なくとも１つのタブ領域の第２のタブ部分内に形成された第２の破裂可能袋とを備え、前記第１の破裂可能袋と前記第２の破裂可能袋とは、１つの破裂可能袋の部分であり、
前記少なくとも１つのタブ領域に使用者によって圧力を加えた時に、前記第１の破裂可能袋が破裂し、前記第１のフィルム及び前記第２のフィルムの第１のシールされた部分を分離させ、前記封入部と前記第１のタブ部分との間に第１の破裂通路を形成し、かつ前記第２の破裂可能袋が破裂し、前記第１のフィルム及び前記第２のフィルムの第２のシールされた部分を分離させ、前記第２のタブ部分と前記パッケージ周縁部との間に第２の破裂通路を形成するように、前記第１の破裂可能袋及び前記第２の破裂可能袋内に十分な流体が捕捉されていることを特徴とする、パッケージ。
【請求項２】
パッケージであって、
第１のフィルム及び第２のフィルムであって、封入部と、少なくとも１つのタブ領域とを形成しかつパッケージ周縁部を形成し、前記封入部は、製品を収容するよう構成された内部体積を形成している、第１のフィルム及び第２のフィルムと、
前記少なくとも１つのタブ領域の第１のタブ部分内に形成された第１の破裂可能袋と、
前記少なくとも１つのタブ領域の第２のタブ部分内に形成された第２の破裂可能袋とを備え、前記第１及び第２の破裂可能袋は、折り目によって分離されており、
前記少なくとも１つのタブ領域に使用者によって圧力を加えた時に、前記第１の破裂可能袋が破裂し、前記第１のフィルム及び前記第２のフィルムの第１のシールされた部分を分離させ、前記封入部と前記第１のタブ部分との間に第１の破裂通路を形成し、かつ前記第２の破裂可能袋が破裂し、前記第１のフィルム及び前記第２のフィルムの第２のシールされた部分を分離させ、前記第２のタブ部分と前記パッケージ周縁部との間に第２の破裂通路を形成するように、前記第１の破裂可能袋及び前記第２の破裂可能袋内に十分な流体が捕捉されていることを特徴とする、パッケージ。
【請求項３】
第１の折り畳まれた位置において、前記第１のタブ部分と前記第２のタブ部分とは、破裂を容易にするために互いに対して実質的にシールされており、前記第２の折り畳まれていない位置において、前記第１のタブ部分と第２のタブ部分とは互いに流体接続している、請求項１又は２記載のパッケージ。
【請求項４】
第１の折り畳まれた位置において、前記第１の破裂可能袋と、前記第２の破裂可能袋とは、折り線に沿って互いに対して実質的にシールされており、第２の折り畳まれていない位置において、前記第１の破裂可能袋と、前記第２の破裂可能袋とは、互いに流体接続している、請求項１又は２記載のパッケージ。
【請求項５】
前記第１の折り畳まれた位置において、前記第２の破裂可能袋は、前記第１の破裂可能袋の上方又は下方に重ねられている、請求項４記載のパッケージ。
【請求項６】
前記第１のタブ部分と、前記第２のタブ部分とは、バリアによって分割されており、該バリアは、前記第１のタブ部分及び前記第２のタブ部分を通る製品の流れを制御するバリア通路を形成しており、該バリア通路は、前記第１のタブ部分を前記第２のタブ部分と流体接続させるように配置する、請求項４記載のパッケージ。
【請求項７】
前記バリア通路は、前記第１のタブ部分と、前記第２のタブ部分との間の直線的な通路を含む、請求項６記載のパッケージ。
【請求項８】
前記バリア通路は、前記第１のタブ部分と、前記第２のタブ部分との間の蛇行した通路を含む、請求項６記載のパッケージ。
【請求項９】
第１の折り畳まれた位置において、前記第１の破裂可能袋と、前記第２の破裂可能袋とは、折り目に沿って互いに対して実質的にシールされており、第２の折り畳まれていない位置において、前記第１の破裂可能袋と、前記第２の破裂可能袋とは、互いに流体接続しており、前記第１のタブ部分と、前記第２のタブ部分とは、前記第１のタブ部分と前記第２のタブ部分との間の流体接続を提供するためのバリア通路を形成したバリアによって分割されている、請求項１記載のパッケージ。
【請求項１０】
第１の位置において、前記第１のフィルムと、前記第２のフィルムとは、折り畳まれており、前記第１の破裂可能袋は、折り線に沿って前記第２の破裂可能袋から分離されている、請求項１記載のパッケージ。
【請求項１１】
前記第１の破裂可能袋と、前記第２の破裂可能袋とは、１つの破裂可能袋の部分である、請求項２記載のパッケージ。
【請求項１２】
前記少なくとも１つのタブ領域に使用者によって圧力を加えた時に、前記第１の破裂可能袋と前記第２の破裂可能袋とは実質的に同時に破裂する、請求項１から１１までのいずれか１項記載のパッケージ。
【請求項１３】
前記第１のフィルム及び前記第２のフィルムの前記第１のシールされた部分は、第１の破裂箇所を有し、前記第１のフィルム及び前記第２のフィルムの前記第２のシールされた部分は、第２の破裂箇所を有し、前記第１の破裂可能袋が破裂する時に、前記第１のフィルムと前記第２のフィルムとは前記第１の破裂箇所において分離し、前記第２の破裂可能袋が破裂する時に、前記第１のフィルムと前記第２のフィルムとは前記第２の破裂箇所において分離する、請求項１から１２までのいずれか１項記載のパッケージ。
【請求項１４】
前記封入部は、製品を収容しており、前記封入部は、前記タブ領域から分離されている、請求項１から１３までのいずれか１項記載のパッケージ。
【請求項１５】
パッケージを開放する方法であって、
パッケージの少なくとも１つのタブ領域であって、該少なくとも１つのタブ領域は第１のタブ部分と第２のタブ部分とを有し、前記第１のタブ部分及び前記第２のタブ部分は第１の位置において折り線によって互いに対して実質的にシールされて配置されている、パッケージの少なくとも１つのタブ領域に圧力を加え、
第１の破裂可能袋であって、前記第１のタブ部分内に形成された第１の破裂可能袋を破裂させ、
第２の破裂可能袋であって、前記第２のタブ部分内に形成された第２の破裂可能袋を破裂させ、
前記第１のタブ部分及び前記第２のタブ部分を前記折り線に沿って開き、前記第１の位置から、前記第１のタブ部分と前記第２のタブ部分とが互いに流体接続した第２の位置へシフトさせることを含み、
前記パッケージは第１のフィルム及び第２のフィルムを含み、前記第１のフィルム及び前記第２のフィルムは、封入部と、少なくとも１つのタブ領域とを形成しておりかつパッケージ周縁部を形成しており、前記封入部は、製品を収容するよう構成された内部体積を形成していることを特徴とする、パッケージを開放する方法。
【請求項１６】
前記第１の破裂可能袋を破裂させるステップと、前記第２の破裂可能袋を破裂させるステップとが、実質的に同時に生じる、請求項１５記載の方法。
【請求項１７】
前記第１の破裂可能袋と、前記第２の破裂可能袋とは、１つの破裂可能袋の部分であり、前記第１の破裂可能袋を破裂させることは、前記第１のフィルム及び前記第２のフィルムの第１のシールされた部分を分離させて前記封入部と前記第１のタブ部分との間に第１の破裂通路を形成することを含み、前記第２の破裂可能袋を破裂させることは、前記第１のフィルム及び前記第２のフィルムの第２のシールされた部分を分離させて前記第２のタブ部分と前記パッケージ周縁部との間に第２の破裂通路を形成することを含む、請求項９記載の方法。